(57)【要約】【課題】閉扉時の自動施錠制御による錠前機構の施錠不良が生じた場合でも、その後の施錠操作による施錠を可能にする。【解決手段】電気錠制御装置１は、電気的又は機械的に施錠制御が可能であって、電気的に解錠制御が可能な錠前機構を有する電気錠２と、扉の開閉状態を検出する扉開閉状態検出手段３と、錠前機構の施解錠状態を検出する施解錠状態検出手段４と、扉開閉状態検出手段３が閉扉状態を検出した後に錠前機構を自動施錠制御し、自動施錠制御によって施解錠状態検出手段４が施錠状態及び解錠状態を検出しないときに錠前機構を自動解錠制御し、予め設定された待機時間経過後に施錠リトライにより錠前機構を施錠制御する電気錠制御器５とを備える。【選択図】図１
2012162856.tif 000002
【特許請求の範囲】
【請求項１】
電気的又は機械的に施錠制御が可能であって、電気的に解錠制御が可能な錠前機構を有する電気錠と、
扉の開閉状態を検出する扉開閉状態検出手段と、
前記錠前機構の施解錠状態を検出する施解錠状態検出手段と、
前記扉開閉状態検出手段が閉扉状態を検出した後に前記錠前機構を自動施錠制御し、該自動施錠制御によって前記施解錠状態検出手段が施錠状態及び解錠状態を検出しないときに前記錠前機構を自動解錠制御し、予め設定された待機時間経過後に施錠リトライにより前記錠前機構を施錠制御する電気錠制御器とを備えたことを特徴とする電気錠制御装置。
【請求項２】
前記電気錠制御器は、前記錠前機構を自動解錠制御して前記待機時間経過後に前記錠前機構を施錠リトライする一連の処理を、前記施解錠状態検出手段が施錠状態を検出するか、又は前記施錠リトライ及び／又は前記自動解錠制御の実行回数が設定回数に達するまで繰り返し実行し、前記施錠リトライ及び／又は前記自動解錠制御の実行回数が前記設定回数に達したときは異常判定することを特徴とする請求項１記載の電気錠制御装置。
【発明の詳細な説明】
【技術分野】
【０００１】
本発明は、各種扉に設けられる電気錠を施解錠制御するための電気錠制御装置に関するものである。
【背景技術】
【０００２】
従来より、各種扉に設けられる電気錠を施解錠制御するための電気錠制御装置は、例えば下記特許文献１や特許文献２などに開示されるように、一般的に知られている。また、機械的に施錠制御が可能な電気錠としては、例えば下記特許文献３などに開示される構成が知られている。
【０００３】
この種の従来の電気錠制御装置は、図４に示すように、扉５１の開閉状態を検出する扉開閉状態検出手段５２を備えている。扉開閉状態検出手段５２は、扉枠５３側のストライク５４内に設けられる磁石５５と、磁石５５に対応して扉５１側に設けられる磁気センサ５６とから構成される。扉開閉状態検出手段５２は、扉５１の開閉操作により、磁石５５の磁界が及ぶ閉扉検出範囲Ｅ（図５の斜線で囲まれる半円部分）に磁気センサ５６が位置するときを閉扉状態と検出し、閉扉検出範囲Ｅから外れて磁気センサ５６が位置するときを開扉状態と検出している。
【０００４】
また、特に図示はしないが、従来の電気錠制御装置は、例えばマイクロスイッチ、ホールＩＣ、フォトインタラプタ等で構成される施解錠状態検出手段を備えている。施解錠状態検出手段は、電気錠の錠前機構の一部であるデッドボルトが完全に突出した状態を施錠状態と検出し、デッドボルトが完全に引っ込んだ状態を解錠状態と検出している。
【０００５】
そして、この種の従来の電気錠制御装置は、扉５１が開扉から閉扉になり、扉開閉状態検出手段５２によって閉扉状態が検出されると、施錠信号の送出によりソレノイドやモータを励磁又は通電して自動的に電気錠を施錠する自動施錠制御を行っている。そして、施錠信号の送出によりデッドボルトが完全に突出せず、施解錠状態検出手段が施錠状態を検出しないとき、すなわち電気錠が施錠されないときには、施錠信号の送出を複数回繰り返して電気錠を施錠する施錠リトライを実行している。
【先行技術文献】
【特許文献】
【０００６】
【特許文献１】特開平８−１４４５９３号公報
【特許文献２】特開２０１０−７７７２３号公報
【特許文献３】特開平５−２２２８７２号公報
【発明の概要】
【発明が解決しようとする課題】
【０００７】
ところで、上述した従来の電気錠制御装置では、図５に示すように、扉５１が開扉から閉扉になり、磁気センサ５６が閉扉検出範囲Ｅ（磁石の磁界が及ぶ範囲）に来ると、磁気センサ５６が閉扉状態を検出している。そして、従来の電気錠制御装置において、閉扉からの自動施錠制御の時間短縮を図るため、閉扉状態の検出後すぐに自動施錠制御に移行すると、ストライク５４とデッドボルト５７の位置が合う前から自動施錠制御を開始することがあった。
【０００８】
そして、従来の電気錠制御装置は、ストライク５４とデッドボルト５７の位置が合っていない状態で自動施錠制御によりデッドボルト５７が突出すると、図５に示すように、デッドボルト５７がストライク枠又は扉枠５３に引っ掛かってしまい、完全に閉扉（ストライク５４とデッドボルト５７の位置が合う位置）にならないことがあった。
【０００９】
また、従来の電気錠制御装置では、上述した自動施錠制御により電気錠が施錠状態にならなかった場合、再度電気錠を施錠制御する施錠リトライを複数回（例えば４回）繰り返し実行していた。
【００１０】
ところが、従来の電気錠制御装置は、施錠リトライがデッドボルト５７を突出させる動作のため、図５に示すように、扉５１が完全に閉扉されていない状態、すなわちデッドボルト５７がストライク枠や扉枠に引っ掛かった状態のままで施錠リトライを行っても、デッドボルト５７の引っ掛かりが外れず、デッドボルト５７自体が物理的な障害となり、施錠不良が発生するという不具合があった。
【００１１】
しかも、ストライク５４とデッドボルト５７の位置が合っていない状態で施錠リトライが行われるため、デッドボルト５７がストライク枠や扉枠５３にさらに押し付けられてしまい、デッドボルト５７自体に負荷がかかり、電気錠に損傷を招くおそれもあった。
【００１２】
そこで、本発明は上記問題点に鑑みてなされたものであり、閉扉時の自動施錠制御による錠前機構の施錠不良が生じた場合でも、その後の施錠操作による施錠が可能な電気錠制御装置を提供することを目的とするものである。
【課題を解決するための手段】
【００１３】
上記した目的を達成するために、請求項１に記載された電気錠制御装置は、電気的又は機械的に施錠制御が可能であって、電気的に解錠制御が可能な錠前機構を有する電気錠と、
扉の開閉状態を検出する扉開閉状態検出手段と、
前記錠前機構の施解錠状態を検出する施解錠状態検出手段と、
前記扉開閉状態検出手段が閉扉状態を検出した後に前記錠前機構を自動施錠制御し、該自動施錠制御によって前記施解錠状態検出手段が施錠状態及び解錠状態を検出しないときに前記錠前機構を自動解錠制御し、予め設定された待機時間経過後に施錠リトライにより前記錠前機構を施錠制御する電気錠制御器とを備えたことを特徴とする。
【００１４】
請求項２に記載された電気錠制御装置は、請求項１の電気錠制御装置において、
前記電気錠制御器は、前記電気錠制御器は、前記錠前機構を自動解錠制御して前記待機時間経過後に前記錠前機構を施錠リトライする一連の処理を、前記施解錠状態検出手段が施錠状態を検出するか、又は前記施錠リトライ及び／又は前記自動解錠制御の実行回数が設定回数に達するまで繰り返し実行し、前記施錠リトライ及び／又は前記自動解錠制御の実行回数が前記設定回数に達したときは異常判定することを特徴とする。
【発明の効果】
【００１５】
本発明に係る電気錠制御装置によれば、閉扉時の自動施錠制御により錠前機構のデッドボルトがストライク枠又は扉枠に引っ掛かる施錠不良が発生して電気錠を施錠できない場合でも、デッドボルト自体による物理的な障害を取り除き、完全に閉扉した状態で施錠制御（施錠リトライ）することが可能になる。
【図面の簡単な説明】
【００１６】
【図１】本発明に係る電気錠制御装置の概略構成を示すブロック図である。
【図２】（ａ），（ｂ）  本発明に係る電気錠制御装置の施錠不良時の動作を示す概略説明図である。
【図３】本発明に係る電気錠制御装置の動作フローチャートである。
【図４】扉開閉状態検出手段の一例を示す概略図である。
【図５】従来の電気錠制御装置による施錠不良の概略説明図である。
【発明を実施するための形態】
【００１７】
以下、本発明を実施するための形態について、添付した図面を参照しながら詳細に説明する。図１は本発明に係る電気錠制御装置の概略構成を示すブロック図、図２（ａ），（ｂ）は本発明に係る電気錠制御装置の施錠不良時の動作を示す概略説明図、図３は本発明に係る電気錠制御装置の動作フローチャートである。
【００１８】
本発明に係る電気錠制御装置は、例えば本締型電気錠や鎌型電気錠（引き戸錠も含む）などの各種電気錠を対象としており、閉扉後に電気錠を自動施錠制御し、電気錠に施錠不良が発生したときに一旦電気錠を自動解錠制御し、予め設定される待機時間が経過した後に施錠リトライを行うものである。
【００１９】
図１に示すように、本例の電気錠制御装置１は、電気錠２、扉開閉状態検出手段３、施解錠状態検出手段４、電気錠制御器５を備えて概略構成される。
【００２０】
電気錠２は、電気的に自動制御制御が可能で、閉扉の施錠不良時に電気的に自動解錠制御が可能な錠前機構を有するものである。本例では、錠前機構の一部をなす係止手段としてストライク５４とデッドボルト５７とを有し、図２（ａ），（ｂ）に示すようなストライク５４の係止穴５４ａに対し、モータやソレノイドにより電気的にデッドボルト５７を突出させたり引っ込めたりできる錠前機構を有する本締型電気錠を電気錠２として採用している。
【００２１】
扉開閉状態検出手段３は、従来より周知の構成であり、図４に示すように、扉枠５３側のストライク５４内に設けられる磁石５５と、磁石５５に対応して扉５１側に設けられる磁気センサ５６とから構成される。扉開閉状態検出手段３は、扉５１の開閉操作により、磁石５５の磁界が及ぶ閉扉検出範囲Ｅ（図５の斜線で囲まれる半円部分）に磁気センサ５６が位置するときを閉扉状態と検出し、閉扉検出範囲Ｅから外れて磁気センサ５６が位置するときを開扉状態と検出しており、扉５１の開閉状態に応じた検出信号を出力している。
【００２２】
施解錠状態検出手段４は、従来より周知の構成であり、例えばマイクロスイッチ、ホールＩＣ、フォトインタラプタ等で構成される。施解錠状態検出手段４は、デッドボルト５７が完全に突出した状態を施錠状態と検出し、デッドボルト５７が完全に引っ込んだ状態を解錠状態と検出しており、ストライク５４の係止穴５４ａに対するデッドボルト５７の進退位置に応じた検出信号を出力している。
【００２３】
電気錠制御器５は、図１に示すように、計時手段５ａと制御手段５ｂとを備えている。計時手段５ａは、タイマで構成され、制御手段５ｂの制御により、計時の開始、停止及びリセット処理がなされる。
【００２４】
制御手段５ｂは、図３のフローチャートに基づく各種処理を実行するべく、扉開閉状態検出手段３からの検出信号に基づく扉５１の開閉状態の判別、施解錠状態検出手段４からの検出信号に基づく電気錠２の施解錠状態の判別、計時手段５ａによる計時の開始・停止・リセット、計時手段５ａによる計時時間が予め設定された待機時間（施錠リトライを開始する時間待ち、自動解錠制御後の扉５１が閉まる時間待ち）を経過したか否かの判別、電気錠２の自動施錠制御、自動解錠制御、施錠リトライ、施錠リトライを実行した回数の判別、異常判定などの処理を行っている。
【００２５】
次に、上記構成による電気錠制御装置１の動作として、電気錠２を施錠制御する際の電気錠制御器５の処理内容について図３のフローチャートを参照しながら説明する。
【００２６】
電気錠制御器５の制御手段５ｂは、待機状態から不図示の扉クローザによる自閉力で扉５１が開扉から閉扉になり、扉開閉状態検出手段３から検出信号が入力されると、扉５１が閉扉状態か否か、すなわち閉扉を検出したか否かを判別する（ＳＴ１）。そして、制御手段５ｂは、閉扉を検出すると、電気錠２を自動施錠制御する（ＳＴ２）。続いて、制御手段５ｂは、計時手段５ａによる計時を開始し、この計時手段５ａによる待機時間中に、施解錠状態検出手段４からの検出信号により、ストライク５４の係止穴５４ａに対してデッドボルト５７が完全に突出した状態か否か、すなわち待機時間中に電気錠２の施錠状態を検出したか否かを判別する（ＳＴ３）。
【００２７】
制御手段５ｂは、待機時間中に電気錠２の施錠状態を検出したと判別すると、処理を終了し、待機状態に戻る。これに対し、制御手段５ｂは、待機時間中に電気錠２の施錠状態を検出しないと判別すると、施解錠状態検出手段４からの検出信号により、ストライク５４の係止穴５４ａに対してデッドボルト５７が完全に引っ込んだ状態か否か、すなわち電気錠２の解錠状態を検出したか否かを判別する（ＳＴ４）。
【００２８】
制御手段５ｂは、ストライク５４の係止穴５４ａに対してデッドボルト５７が完全に突出も引っ込みもせずに中途位置にある状態であって、電気錠２の解錠状態を検出しないと判別すると、電気錠２を自動解錠制御する（ＳＴ５）。その後、制御手段５ｂは、再度計時手段５ａによる計時を開始し（リスタート）、計時手段５ａによる再度の待機時間中に、施解錠状態検出手段４からの検出信号により、ストライク５４の係止穴５４ａに対してデッドボルト５７が完全に突出した状態か否か、すなわち再度の待機時間中に電気錠２の施錠状態を検出したか否かを判別する（ＳＴ６）。これに対し、制御手段５ｂは、電気錠２の解錠状態を検出したと判別すると、電気錠２を施錠リトライし（ＳＴ７）、ＳＴ６の再度の待機時間中に電気錠２の施錠状態を検出したか否かの判別に移行する。
【００２９】
制御手段５ｂは、再度の待機時間中に電気錠２の施錠状態を検出したと判別すると、処理を終了し、待機状態に戻る。これに対し、制御手段５ｂは、再度の待機時間中に電気錠２の施錠状態を検出しないと判別すると、施錠リトライ及び／又は自動解錠制御の実行回数が設定回数に達したか否かを判別する（ＳＴ８）。そして、制御手段５ｂは、施錠リトライ及び／又は自動解錠制御の実行回数が設定回数に達したと判別すると、異常発生と判定し（ＳＴ９）、例えば音や表示により警報出力する。これに対し、制御手段５ｂは、施錠リトライ及び／又は自動解錠制御の実行回数が設定回数に達していないと判別すると、ＳＴ４の電気錠２の解錠状態を検出したか否かの判別に戻る。
【００３０】
このように、本例の電気錠制御装置１は、閉扉時の自動施錠制御により、デッドボルト５７がストライク枠や扉枠に引っ掛かって施錠できず、錠前機能の施錠不良が発生した場合、自動解錠制御によりデッドボルト５７を一旦引っ込めて引っ掛かりを外す。その後、不図示の扉クローザなどにより、ストライク５４の係止穴５４ａとデッドボルト５７の位置が合って扉５１が閉まる時間を待つ（待機時間）。そして、待機時間が経過した後に、施錠リトライによりデッドボルト５７を再度突出させて電気錠２を施錠する。
【００３１】
これにより、閉扉時の自動施錠制御によりデッドボルト５７がストライク枠又は扉枠に引っ掛かる錠前機構の施錠不良が発生して電気錠２を施錠できない場合であっても、デッドボルト５７自体による物理的な障害を取り除き、完全に閉扉した状態で施錠制御（施錠リトライ）することが可能になる。
【００３２】
また、閉扉状態の検出によって自動施錠制御が実行されたときに、施解錠状態検出手段４による電気錠２の施解錠状態に応じて施錠リトライ又は自動解錠制御の何れかを自動的に選択して実行することができる。そして、施錠リトライが実行された場合には、施錠リトライの実行回数が設定回数に達すると異常判定して警報出力することができる。
【００３３】
ところで、上述した実施の形態の電気錠制御装置１は、ストライク５４の係止穴５４ａに対してデッドボルト５７を電気的に突出させて施錠を行い、デッドボルト５７をストライク５４の係止穴５４ａから電気的に引っ込めて解錠を行う本締型電気錠に採用した場合を例にとって説明したが、この構成に限定されるものではない。
【００３４】
すなわち、本例の電気錠制御装置１が対象とする電気錠２は、電気的又は機械的に施錠制御が可能であって、電気的に解錠制御が可能な構成であれば良い。尚、電気的に施錠制御及び解錠制御が可能な電気錠としては、例えば特開平６−１０８７１６号公報などに開示される構成が知られている。また、機械的に施錠制御が可能な電気錠としては、例えば特開平５−２２２８７２号公報などに開示される構成が知られている。
【００３５】
また、本例の電気錠制御装置１は、本締型電気錠に限定されず、鎌型電気錠（引き戸錠を含む）に採用することもできる。その際は、デッドボルト５７を鎌に置き換えれば良い。
【００３６】
さらに、図１の例では、電気錠制御装置１として、電気錠制御器５を電気錠２と別体に構成し、機能分けして説明したが、電気錠制御器５の機能を電気錠２に持たせ、電気錠２と電気錠制御器５を一体に構成しても良い。
【符号の説明】
【００３７】
１  電気錠制御装置
２  電気錠
３（５２）  扉開閉状態検出手段
４  施解錠状態検出手段
５  電気錠制御器
５ａ  計時手段
５ｂ  制御手段
５１  扉
５３  扉枠
５４  ストライク
５４ａ  係止穴
５５  磁石
５６  磁気センサ
５７  デッドボルト
Ｅ  閉扉検出範囲
【図１】
2012162856.tif 000003
【図２】
2012162856.tif 000004
【図３】
2012162856.tif 000005
【図４】
2012162856.tif 000006
【図５】
2012162856.tif 000007